(57)【要約】  嗅ぎタバコ容器（１００）をシーリングするためのシーリングラベル（１）は、構造層（２）を含んでなり、長さ方向（Ｌ）に延びる第１および第２のサイドエッジ（３、４）と、幅方向（Ｗ）に延びる第１および第２のエンドエッジ（５、６）と、を有する。シーリングラベル（１）は、幅方向（Ｗ）において、容器蓋貼り付け領域（１１）と、容器ベース貼り付け領域（１２）と、容器蓋貼り付け領域（１１）と容器ベース貼り付け領域（１２）との間に配置される引裂き領域（１３）と、に分割され、引裂き領域（１３）は、第１のエンドエッジ（５）に配置されたプルタブ７によって終端される。シーリングラベル（１）の構造層（２）はシーリングラベル（１）の単一の構造層で、シーリングラベル（１）の長さ方向（Ｌ）と一致する配向方向を有する単一配向性ポリマーフィルムからなる。また、シールラベル（１）が形成された嗅ぎたばこ容器（１００）も開示されている。
2019524570.tif 000002
【特許請求の範囲】
【請求項１】
高さ方向（Ｈ）に高さ（ｈ）を有し、前記高さ方向（Ｈ）に垂直な平面において円周方向（Ｃ）に円周（ｃ）を有す嗅ぎタバコ容器（１００）であって、底壁（１０３）とベース側壁（１０４）とを有する容器ベース（１０２）と、トップ壁（１０７）と蓋側壁（１０８）とを有する容器蓋（１０６）と、を含んでなり、
前記蓋側壁（１０８）の外面（１０９）が前記ベース側壁（１０４）の外面（１１０）と整列され、当該嗅ぎタバコ容器（１００）の前記円周方向（Ｃ）に延びる分離線（１１５）が、前記蓋側壁（１０８）の下縁（１１６）と前記ベース側壁（１０４）の上縁（１１７）との間に配置されて、前記容器蓋（１０６）が前記容器ベース（１０２）に取り外し可能に取り付けられ、
当該嗅ぎタバコ容器（１００）は、当該嗅ぎタバコ容器（１００）をシーリングするためのシーリングラベル（１）を含み、前記シーリングラベル（１）の前記長さ方向（Ｌ）が当該嗅ぎタバコ容器（１００）の前記円周方向（Ｃ）に一致し、当該嗅ぎタバコ容器（１００）の前記高さ方向（Ｈ）が前記シーリングラベル（１）の幅方向（Ｗ）に一致するように前記シーリングラベル（１）が当該嗅ぎタバコ容器（１００）に貼り付けられ、
前記シーリングラベル（１）は、構造層（２）を含んでなり、長さ方向（Ｌ）に延びる第１および第２のサイドエッジ（３、４）と、幅方向（Ｗ）に延びる第１および第２のエンドエッジ（５、６）と、を有し、前記シーリングラベル（１）は、前記幅方向（Ｗ）において、前記蓋側壁（１０８）に貼り付けられる容器蓋貼り付け領域（１１）と、前記ベース側壁（１０４）に貼り付けられる容器ベース貼り付け領域（１２）と、前記容器蓋貼り付け領域（１１）と前記容器ベース貼り付け領域（１２）との間に配置される引裂き領域（１３）と、に分割され、前記引裂き領域（１３）は、前記第１のエンドエッジ（５）に配置されたプルタブ７によって終端され、前記引裂き領域（１３）は、前記蓋側壁（１０８）の前記下縁（１１６）と前記ベース側壁（１０４）の前記上縁（１１７）との間の前記分離線（１１５）を完全に覆い、
前記シーリングラベル（１）は、前記長さ方向（Ｌ）に長さ（ｌ）、前記幅方向（Ｗ）に幅（ｗ）を有し、前記長さ（ｌ）と前記幅（ｗ）との割合（ｌ／ｗ）が７〜２５であって、
前記シーリングラベル（１）の前記構造層（２）は、前記シーリングラベル（１）の前記長さ方向（Ｌ）と一致する配向方向を有する単一配向性ポリマーフィルムからなり、前記シーリングラベル（１）の前記構造層（２）は、前記シーリングラベル（１）の単一の構造層（２）であるような、嗅ぎタバコ容器（１００）において、
前記蓋側壁（１０８）の前記下縁（１１６）と前記ベース側壁（１０４）の前記上縁（１１７）との間の前記分離線（１１５）が、当該嗅ぎタバコ容器（１００）の前記高さ方向に、例えば１.５ミリメートル〜２.５ミリメートルのような０.５ミリメートル〜２．５ミリメートルの幅（ｗｓ）を有し、
前記シーリングラベル（１）の前記引裂きストリップ領域（１３）の幅が、例えば１.５ミリメートル〜２.５ミリメートルのような０.５ミリメートル〜２．５ミリメートルであって、
前記引裂きストリップ領域（１３）が、前記分離線（１１５）と同じ幅、或いは、例えば前記分離線（１１５）より０．５ミリメートルだけ大きい幅、例えば前記分離線（１１５）より０．３ミリメートルだけ大きい幅のような、最大で前記分離線（１１５）より０．７ミリメートルだけ大きい幅を有し、
引裂き開始カット（１４、１５）が、前記シーリングラベル（１）の前記第１のエンドエッジ（５）で前記プルタブ（７）の各サイドの前記構造層（２）に配置され、前記引裂き開始カット（１４、１５）間の距離が前記引裂きストリップ領域（１３）の幅に対応していることを特徴とする嗅ぎタバコ容器（１００）。
【請求項２】
前記シーリングラベル（１）の前記構造層（２）の裏面（１７）に接着剤コーティング（１８）が適用され、前記容器蓋貼り付け領域（１１）および前記容器ベース貼り付け領域（１２）を覆い、前記容器蓋貼り付け領域（１１）および前記容器ベース貼り付け領域（１２）のそれぞれが前記容器蓋（１０６）および前記容器ベース（１０２）にそれぞれに取り剥がし不能に貼り付けるように、前記接着剤コーティング（１８）が構成されていることを特徴とする、請求項１に記載の嗅ぎタバコ容器（１００）。
【請求項３】
前記シーリングラベル（１）の前記接着剤コーティング（１８）が、前記容器蓋貼り付け領域（１１）および前記容器ベース貼り付け領域（１２）上に連続した接着剤層として適用されていることを特徴とする、請求項２に記載の嗅ぎタバコ容器（１００）。
【請求項４】
前記シーリングラベル（１）の連続的な前記接着剤コーティング（１８）が前記引裂きストリップ領域（１３）に適用されていることを特徴とする、請求項３に記載の嗅ぎタバコ容器（１００）。
【請求項５】
前記シーリングラベル（１）の前記構造層の前記裏面が、前記引裂きストリップ領域（１３）内では前記接着剤コーティング（１８）の適用がされず、或いは、前記接着剤コーティング（１８）が前記引裂きストリップ領域（１３）内で非接着性にされていることを特徴とする、請求項２又は３に記載の嗅ぎタバコ容器（１００）。
【請求項６】
前記シーリングラベル（１）の前記長さ（ｌ）が８０ミリメートル〜２５０ミリメートルで、前記シーリングラベル（１）の前記幅（ｗ）が、例えば１５ミリメートル〜１９ミリメートルのような１０ミリメートル〜２５ミリメートルであることを特徴とする、請求項１〜５のいずれか一項に記載の嗅ぎタバコ容器（１００）。
【請求項７】
前記シーリングラベル（１）の前記引裂きストリップ領域（１３）が、例えば、前記引裂きストリップ領域（１３）と前記容器蓋貼り付け領域（１１）と前記容器ベース貼り付け領域（１２）との合計面積の５％〜１５％、または、前記引裂きストリップ領域（１３）と前記容器蓋貼り付け領域（１１）と前記容器ベース貼り付け領域（１２）との合計面積の７％〜１０％のような、前記引裂きストリップ領域（１３）と前記容器蓋貼り付け領域（１１）と前記容器ベース貼り付け領域（１２）との合計面積の２％〜２０％を構成していることを特徴とする、請求項１〜６のいずれか一項に記載の嗅ぎタバコ容器（１００）。
【請求項８】
前記シーリングラベル（１）のフロント面（１６）が、前記容器蓋貼り付け領域（１１）内に部分的に延在し、前記容器ベース貼り付け領域内に部分的に延在する印刷特徴を含むことを特徴とする、請求項１〜７のいずれか一項に記載の嗅ぎタバコ容器（１００）。
【請求項９】
前記シーリングラベル（１）の前記第１のエンドエッジ（５）における前記シーリングラベル（１）の部分（１２０）が、前記シーリングラベル （１）の前記第２のエンドエッジ（６）における前記シーリングラベル（１）の部分（１２１）に重なることを特徴とする、請求項１〜８のいずれか一項に記載の嗅ぎタバコ容器（１００）。
【請求項１０】
前記シーリングラベル（１）の前記幅（ｗ）が、前記嗅ぎタバコ容器（１００）の前記高さ（ｈ）の６０〜１００％であることを特徴とする、請求項１〜９のいずれか一項に記載の嗅ぎタバコ容器（１００）。
【請求項１１】
前記嗅ぎタバコ容器（１００）が円筒形の形状を有することを特徴とする、請求項１〜１０のいずれか一項に記載の嗅ぎタバコ容器（１００）。
【発明の詳細な説明】
【技術分野】
【０００１】
本発明は、嗅ぎタバコ容器を密封するためのシーリングラベルに関し、さらに、シーリングラベルが形成された嗅ぎタバコ容器に関する。シーリングラベルは、構造層を含んでなり、長さ方向に延びる第１および第２のサイドエッジと、幅方向に延びる第１および第２のエンドエッジとを有する。シーリングラベルは、幅方向において、容器蓋貼り付け領域、容器ベース貼り付け領域、および、容器蓋貼り付け領域と容器ベース貼り付け領域との間に配置された引裂きストリップ領域に分割される。引裂きストリップ領域は、第１のエンドエッジに配置されたプルタブによって終端される。シーリングラベルは、シーリングラベルの幅をかなり超える長さを有する。
【背景技術】
【０００２】
本明細書において「嗅ぎタバコ」または「嗅ぎタバコ製品」と呼ばれ、経口的に使用される無煙タバコ製品や非タバコ製品は、一般に、小型の便利な容器に包装され、それぞれの容器は、未使用の嗅ぎタバコのいくつかの部分を収容するように設計され、使用済みの嗅ぎタバコを一時的に保管するための処分区画を選択的に含む。容器はポケットサイズで、容器に包装された新鮮な嗅ぎタバコ製品がすべて使用されるまで使用者によってポケットまたはハンドバッグ内に携行され、その後、空の容器は処分され、未使用の嗅ぎタバコ製品を収容する新しい容器と交換される。嗅ぎタバコ製品を包装する際の懸念は、嗅ぎタバコ製品の風味および香りを保存し、かつ、使用者が嗅ぎタバコを最初に開くまでの搬送中および保管中に嗅ぎタバコ製品が乾燥するのを防ぐために、容器を十分タイトにすることである。この目的のために、嗅ぎタバコ容器のアクセス開口の上に内側シーリング部材を適用するのが一般的である。シーリング部材は、ユーザによって引き裂かれて取り除かれるフィルムまたは箔の形態を取ることができ、容器に包装された嗅ぎタバコ製品に最初にアクセスできる。シーリング部材は、再閉鎖可能な蓋と共に搬送シールとして設けられる。
【０００３】
嗅ぎタバコ容器のシーリングをさらに改善し、不正開封が歴然と判るように、嗅ぎタバコ容器には、容器蓋と容器ベースとの間の分離線上に適用される完全に或いは部分的に除去可能なシーリングラベルが設けられ得る。シーリングラベルは、印刷および／または着色されてもよく、或いは、製品情報、ロゴ、警告文などを伝達するために使用されてもよい。
【０００４】
嗅ぎタバコ容器の不正開封明示ラベルは、特許文献１に開示されている。特許文献１のラベルは、容器の蓋に貼り付けられた上部と、容器のベースに貼り付けられた下部とに分割される。ラベルの上部は、蓋がベースから取り外される際に引き裂かれる。
【０００５】
嗅ぎタバコ容器用の別のシーリングラベルは、特許文献２に開示されている。特許文献２のラベルは、内側ウェブと外側ウェブとの積層体で、刻み目または切れ目のような脆弱な部分によって画定される引裂きストリップが内側ウェブに形成されている。ラベルは容器に貼付され、蓋とベースとの間のシールを形成する。引裂きストリップは、ラベルの外側ウェブを通して引き裂かれ、蓋がベースから分離されることを可能にする。
【０００６】
特許文献３は、特許文献２のラベルと同様のラベルを開示し、２層ラベルの外層を通して引き裂かれる引裂きストリップを含んでいる。
【０００７】
嗅ぎタバコ容器を開封するときに完全に或いは実質的に完全に除去される不正開封明示ラベルが、特許文献４〜６に開示されている。
【先行技術文献】
【特許文献】
【０００８】
【特許文献１】国際公開第２０１３／０２４２８４号
【特許文献２】国際公開第２０１４／１５０９８８号
【特許文献３】国際公開第２０１５／１０４４２０号
【特許文献４】欧州特許第２２４８７３６号明細書
【特許文献５】欧州特許第２５５１２１２号明細書
【特許文献６】国際公開第２００７／０６７９５３号
【発明の概要】
【発明が解決しようとする課題】
【０００９】
本開示の目的は、嗅ぎタバコ容器のための単純で高機能のシーリングラベルを提供することである。本開示の別の目的は、単純で高機能のシーリングラベルを有する嗅ぎタバコ容器を提供することである。簡略化された構成に加えて、改善されたシーリング容量および大きな情報伝達領域などの１つまたは複数のさらなる機能上の利点を、ラベルはもたらすことができる。
【課題を解決するための手段】
【００１０】
１つ以上の上記目的は、請求項１に記載の嗅ぎタバコ容器用のシーリングラベルや、請求項１１に記載の嗅ぎタバコ容器用によって達成され得る。
【００１１】
本明細書に開示される嗅ぎタバコ容器をシールするためのシーリングラベルは、構造層を含んでなり、長さ方向に延びる第１および第２のサイドエッジと、幅方向に延びる第１および第２のエンドエッジとを有する。シーリングラベルは、幅方向において、容器蓋貼り付け領域と、容器ベース貼り付け領域と、容器蓋貼り付け領域と容器ベース貼り付け領域との間に配置された引裂きストリップ領域と、に分割される。引裂きストリップ領域は、シーリングラベルの第１のエンドエッジに配置されたプルタブによって終端される。シーリングラベルは、長さ方向の長さを有し、幅方向の幅を有し、長さと幅との比が７〜２５である。シーリングラベルの単一の構造層である構造層は、シーリングラベルの長さ方向と一致する配向方向を有する単一配向性ポリマーフィルムからなる。
【００１２】
シーリングラベルは、幅をかなり超える長さと、これはシーリングラベルが狭い細長フィルムストリップであることを意味し、蓋貼り付け領域と、容器ベース貼り付け領域と、シーリングラベルの長さ方向にシーリングラベルの全長に渡って延びる引裂きストリップ領域とを有する。
【００１３】
単一の構造層は、好ましくは防湿性で、より好ましくは気密単一配向性ポリマーフィルムである。適切なポリマーは、ポリプロピレンおよびポリエチレンなどのポリオレフィンであってもよい。単一配向性フィルムは、単一配向性ポリマーフィルムのポリマー鎖の主たる配向方向と一致する優先的引裂き方向を有し、シーリングラベルの長さ方向と一致する優先的引裂き方向に配置される。単一配向性ポリマーフィルムは優先的引裂き方向に制御された方法で引き裂かれ、ここで開示されたシーリングラベルは予め構造層に形成された引裂き線を備える必要がないことを意味する。
【００１４】
このような予め形成された引裂き線は、慣習的に、穿孔線、スリット、薄い線などのような構造層の弱化部分として配置される。引裂き線の間に画定された引裂きストリップ領域を定める予め形成された引裂き線が設けられたシーリングラベルを嗅ぎタバコ容器に貼付するとき、引裂きストリップ領域を容器蓋と容器ベースとの間の分離線に注意深く合わせる必要がある。さらに、構造層内に配置された穿孔は、ラベルと嗅ぎタバコ容器との間のシールの気密性に対し不利益となる。このような従来公知のシーリングラベルの気密性を向上させるために、それらは、穿孔構造層と追加の非穿孔構造シーリング層とを含む積層体によって構成されている。
【００１５】
ここで使用される単一配向性ポリマーフィルムは、３０（マイクロメーター）〜１００μｍの範囲内の厚さを有する比較的薄いポリマーフィルムである。適切なフィルムは、例えば、カリフォルニア州グレンデールのAvery Denison Corporation、フィンランドのタンペレのＵＰＭ Raflatacから入手可能である。
【００１６】
ここで開示するように、接着剤コーティングを、容器蓋貼り付け領域および容器ベース貼り付け領域を覆う構造層の裏面に塗布することができる。あるいは、接着剤コーティングをシーリングラベルが貼り付けられた嗅ぎタバコ容器に塗布してもよい。接着剤コーティングは、容器蓋貼り付け領域および容器ベース貼り付け領域をそれぞれ容器蓋および容器ベースに取り剥がし不能に貼り付けるように配置される。本明細書で使用される取り剥がし不能な貼り付けとは、シーリングラベルの容器蓋貼り付け領域および容器ベース貼り付け領域が、ラベル領域が引き裂かれたり破損されたりまたはラベルを損傷することなく貼り付けられた蓋またはベースから剥がされないことである。
【００１７】
接着剤コーティングは、好ましくは、シーリングラベルと容器との間に緊密なシールを提供するために、容器蓋貼り付け領域および容器ベース貼り付け領域上に接着剤の連続層として適用される。連続的な接着剤コーティングは、不連続コーティングよりもシーリングラベルと容器壁との間により良好なシールを提供することができ、これによって、嗅ぎタバコ容器内の内容物をより長期間に渡って新鮮な状態に保持する。接着剤は、ラベル材料および嗅ぎタバコ容器の材料と適合し、且つシーリングラベルと嗅ぎタバコ容器との間に十分な接着力をもたらしてシーリングラベルが嗅ぎタバコ容器から剥がれないようにする、当技術分野で知られている任意の適切な接着剤であり得る。
【００１８】
構造層の裏面は、引裂きストリップ領域内の接着剤コーティングがなくてもよく、または接着剤コーティングは、引裂きストリップ領域内で非接着性または「deadened」にされてもよい。接着剤コーティングの喪失は、例えば、接着剤コーティングの上に非接着性のコーティング層を適用することによって達成される。
【００１９】
シーリングラベルの長さは８０ミリメートル〜２５０ミリメートルで、シーリングラベルの幅は、例えば、１５ミリメートル〜２２ミリメートルまたは１６ミリメートル〜１９ミリメートルのような、１０ミリメートル〜２５ミリメートルであってもよい。
【００２０】
引裂き開始カットは、第１のエンドエッジのプルタブの各サイドの構造層に配置される。引裂き開始カット間の距離は引裂きストリップ領域の幅に対応する。
【００２１】
引裂きストリップ領域は、例えば、引裂きストリップ領域、蓋貼り付け領域およびベース貼り付け領域の合計面積の５％〜１５％、または、引裂きストリップ領域、蓋貼り付け領域およびベース貼り付け領域の合計面積の７％〜１０％のような、引裂きストリップ領域、蓋貼り付け領域およびベース貼り付け領域の合計面積の２％〜２０％であってもよい。引裂きストリップ領域の幅は、例えば、０.５ミリメートル〜２.５ミリメートルまたは０.６ミリメートル〜１.５ミリメートルのような、０.３ミリメートル〜３ミリメートルであってもよい。引裂きストリップ領域は、ここで開示されているシーリングラベルによってシーリングされた嗅ぎタバコ容器を開封するときに引き裂かれて取り除かれるシーリングラベルの一部である。狭い引裂きストリップ領域は、シーリングラベルのかなりの部分を嗅ぎタバコ容器上に残し、これは、シーリングラベルの表面の大部分が、嗅ぎタバコ容器の使用期間を通して情報の伝達目的、および／または装飾目的で使用され得ることを意味する。ここで開示されているシーリングラベルの単層ポリマーフィルムを単一の構造層として使用することによって、従来の二重層ラベルと比較して材料消費量が低減されるだけでなく、驚くべきことに、従来の二重層ラベルよりも狭くすることができる。
【００２２】
ここで開示される嗅ぎタバコ容器は、本明細書に開示されるシーリングラベルを含む。嗅ぎタバコ容器は、高さ方向と高さ方向に垂直な平面内の周方向とを有し、底壁およびベース側壁を有する容器ベースと、トップ壁および蓋側壁を有する容器蓋と、を含んでなる。容器蓋は、蓋側壁の外面がベース側壁の外面と整列した状態で、容器ベースに取り外し可能に取り付けられている。分離線が、蓋側壁の下縁とベース側壁の上縁との間に配置され、嗅ぎタバコ容器の円周方向に延びる。シーリングラベルの長さ方向がシーリング容器の円周方向と一致し、シーリング容器の高さ方向がシーリングラベルの幅方向と一致するように、シーリングラベルが嗅ぎタバコ容器に貼り付けられる。シーリングラベルの容器蓋貼り付け領域が蓋側壁に貼り付けられ、容器ベース貼り付け領域がベース側壁に貼り付けられ、引裂きストリップ領域が、蓋側壁の下縁とベース側壁の上縁との間に配置された分離線を完全に又は実質的に完全に覆う。
【００２３】
シーリングラベルは、穿孔または切れ目がないので、プルタブのいずれかの側に配置された引裂き開始カットを例外として、シーリングストリップは、非常に良好な緊密搬送シールを嗅ぎタバコ容器に提供する。穿孔されていない、好ましくは、水分およびガス密封シーリングストリップは、包装された嗅ぎタバコ製品を長期間に渡って容器内に新鮮に保持することができる。シーリングラベルのみで十分な緊密性を得ることができ、消費者による容器の最初の開放に先立って容器ベース内のアクセス開口部を覆う内側の取り外し可能なシール部材を省くことが可能である。さらに、冷凍する必要なしに包装された嗅ぎタバコ製品の貯蔵寿命を延ばすことが可能となる。
【００２４】
包装容器から取り除かれる引裂きストリップの幅は、シーリングラベルの引裂きストリップ領域の幅に対応する。包装容器から引裂きストリップを取り外すときには、蓋側壁の下縁およびベース側壁の上縁が、シーリングラベルにおける正確な引裂きの拡大を促進する引裂きガイドとして機能し得る。
【００２５】
驚くべきことに、本明細書に開示されるシーリングラベルの引裂きストリップ領域は、シーリングラベルの裏面が接着剤の連続層で完全に覆われていてもシールされた嗅ぎタバコ容器を開封する際に、容易に取り外すことができる明確な引裂きストリップをもたらし得ることが見いだされた。
【００２６】
蓋側壁の下縁とベース側壁の上縁との間の分離線によって形成される容器蓋と容器ベースとの間の隙間は、隙間領域においてシーリングテープがスナップ容器に接着するのを防止する。引裂きストリップ領域の薄いエッジ部が、蓋側壁およびベース側壁の一方または両方に貼り付けられるように、シーリングラベルの引裂きストリップ領域が分離線よりも僅かに広い場合であっても、シーリングストリップは容器から容易かつ正確に引き裂かれ、シーリングラベルの蓋貼り付け領域およびベース貼り付け領域をそれぞれ蓋側壁およびベース側壁にしっかりと貼り付けられたままにすることができることが見いだされた。隙間を覆って適用される引裂きストリップ領域の非接着部分は、引裂きストリップと容器との間の接着力を減少させ、引裂きストリップを容器蓋貼り付け領域および容器ベース貼り付け領域から分離させる。
【００２７】
蓋側壁の下縁とベース側壁の上縁との間の分離線に適用される引裂きストリップ領域は、好ましくは分離線と同じ幅を有するが、例えば、分離線よりも最大で０.５ミリメートル幅広、または、分離線よりも最大で０.３ミリメートル幅広のような、分離線よりも最大で０.７ミリメートル幅広であってもよい。
【００２８】
シーリングラベルの第１のエンドエッジのシーリングラベルの一部が、シーリングラベルの第２のエンドエッジのシーリングラベルの一部と重なって、分離線の全体の長さに沿って破断されていないシールが設けられていることを確認することが好ましい場合がある。シーリングラベルのエンド部の重なり合った構成は、シーリングラベルにここに記載のプルタブにおける引裂き開始カットが設けられている場合に特に有用である。シーリングストリップの第１および第２のエンドエッジの間の重なりは、好ましくは、引裂き開始カットと同じ長さまたは少なくとも同じ長さである。
【００２９】
分離線は、嗅ぎタバコ容器の高さ方向における、例えば０.５〜２.５ミリメートル、例えば０.７〜１.５ミリメートルのような、０.１〜３ミリメートルの幅を有し得る。０.１ミリメートル〜０.３ミリメートルのような非常に薄い分離線は、ここで規定されているように、シーリング層の引裂きストリップ領域が非接着性であるか非接着性にされていることを必要とし得る。
【００３０】
シーリングラベルの幅は、嗅ぎタバコ容器の高さの６０％〜１００％であってもよい。ワイドシーリングラベルは大きな表示領域を提供する。ワイドシーリングラベルはまた、特にシーリングラベルの裏面の連続的な接着剤コーティングと組み合わせて、嗅ぎタバコ容器のより良好な密封を提供することができる。少なくとも容器蓋貼り付け領域および容器ベース貼り付け領域の上に施された連続的な接着剤コーティングは、シーリングラベルの幅方向においてシーリングラベルと嗅ぎタバコ容器との間に水分およびガス障壁を形成する。
【００３１】
引裂きストリップ領域が除去された後に残っている大きな残存表示領域は、引裂きストリップ領域の除去によってほとんど影響を受けないように、装飾要素、ロゴ、情報などの印刷物を嗅ぎタバコに提供することを可能にする。
【００３２】
したがって、本明細書に開示されるシーリングラベルのフロント面は、部分的に蓋貼り付け領域内に、部分的にベース貼り付け領域内に延在し、引裂きストリップが除去された後であっても嗅ぎタバコ容器上に見え続ける印刷された特徴を含み得る。印刷された特徴の部分は純粋に装飾的な目的を有するか、或いは、装飾目的に代えてまたはそれに加えて情報を伝えるのに役立ち、更に／或いは嗅ぎタバコ容器を開閉するときに容器蓋および容器ベースの適切な位置合わせを示すのに役立つ。
【００３３】
ここで開示される嗅ぎタバコ容器は、ほぼ円筒形の形状を有し得る。ここで開示される嗅ぎタバコ容器の主な機能は、すぐに使用できる新鮮な嗅ぎタバコ製品を収容することである。したがって、底壁およびトップ壁は、円盤形状であってよく、または非平面円盤形状などの変更された円盤形状であってもよい。本明細書で使用される非平面円盤形状は、例えば、比喩要素および／または機能要素のような、エンボスまたは隆起輪郭要素を含む輪郭形状を含む。構成要素は、記号、文字、模様などであってもよく、機能要素は、積み重ね要素、使用済みの嗅ぎタバコ製品用のくぼみなどであってもよい。
【００３４】
ここで開示される嗅ぎタバコ容器は、パッケージをポケットまたはハンドバッグ内に便利に携行するのに適した形状およびサイズを有する消費者パッケージであって、任意の既知のタイプの嗅ぎタバコ製品を包装するために使用され得る。
【００３５】
「嗅ぎタバコ」および「嗅ぎタバコ製品」という用語は、本明細書では、あらゆる種類の無煙タバコ製品および口腔用の非タバコ製品を指すために使用される。
【００３６】
非タバコ嗅ぎタバコ製品は、口腔内での当該技術分野で知られている任意の組成物であって、タバコ材料以外の植物材料、微結晶セルロースなどのセルロース、充填剤、香味料、及び、ニコチンやカフェイン等の活性化成分を含み得る。
【００３７】
経口使用のための無煙たばこには、噛みタバコ、乾燥した嗅ぎタバコ、湿った嗅ぎタバコが含まれる。一般に、乾燥した嗅ぎタバコは、１０重量％（重量パーセント）未満の水分含有量を有し、湿った嗅ぎタバコは、４０重量％を超える水分含有量を有する。１０〜４０重量％の含水量を有するセミドライ製品も利用可能である。
【００３８】
経口使用のための無煙たばこ製品は、たばこの葉の薄層および茎のようなたばこの葉から作られる。根および柄からの物質は、通常、経口使用のための無煙タバコ組成物の製造に利用されていない。
【００３９】
湿った嗅ぎタバコには、アメリカ式とスヌス(snus)とも呼ばれるスカンジナビア式の２種類がある。アメリカ式の湿った嗅ぎタバコは、一般に、湿った地または切断したタバコの発酵プロセスによって生産される。スカンジナビア式の湿った嗅ぎタバコ（スヌス）は、発酵の代わりに熱処理プロセス（低温殺菌）を用いることによって一般に生産される。
【００４０】
経口使用のためのアメリカ式およびスカンジナビア式の湿った嗅ぎタバコの両方は、パウチを形成する唾液透過性の多孔性包装材に緩い形態または部分的に包装されている。スヌスを含む湿った嗅ぎタバコは、典型的には、上部または下部のガムと唇との間にパウチを配置し、限られた時間だけそれを保持することによって、消費者により使用される。
【００４１】
「タバコ」とは、ニコチアナ属の任意のメンバーの任意の部分、例えば、葉、茎、および柄を意味する。タバコは、全体、細断されたもの、裁断されたもの、切られたもの、粉砕されたもの、硬化したもの、熟成したもの、発酵させたもの、または他の方法で、例えば、粒状またはカプセル化したものであってもよい。
【００４２】
「経口」および「経口使用」は、例えば、口腔内配置のような口腔内での使用の説明として本明細書で使用されるすべての文脈に含まれる。
【００４３】
本明細書で使用される「経口使用のためのパウチ無煙タバコ製品」または「パウチ無煙タバコ製品」は、経口使用が意図される唾液透過性パウチ材料に充填された無煙タバコの一部を指す。
【図面の簡単な説明】
【００４４】
本発明は、非限定的な実施例により添付の図面を参照して以下にさらに説明される。
【００４５】
【図１】本明細書で開示されるシーリングラベルを示す。
【図２】部分的に引き裂かれた引裂きストリップを有する図１のシーリングラベルを示す。
【図３】シーリングラベルのない嗅ぎタバコを示す。
【図４】本明細書に開示されたシーリングラベルを有する嗅ぎタバコ容器の斜視図を示す。
【図５】シーリングラベルから部分的に引き裂かれた引裂きストリップを有する図４の嗅ぎタバコ容器の側面図を示す。
【図６】シーリングストリップがシーリングラベルから完全に引き裂かれた図５の嗅ぎタバコを示す。
【発明を実施するための形態】
【００４６】
図面は概略的であり、個々の構成要素は必ずしも縮尺通りに描かれていないことを理解されたい。本明細書で開示されるシーリングラベルは、図に示される円筒形以外の形状を有する嗅ぎタバコ容器に対応して適用されてもよいことを理解されたい。したがって、本発明の範囲は、添付の特許請求の範囲によってのみ決定される。
【００４７】
図に示された嗅ぎタバコ容器は、円形の断面を有する円筒形の嗅ぎタバコであるが、本明細書に開示されているようなロック機構は、例えば、長方形、長方形似、楕円形のような非円形の断面を有する嗅ぎタバコ容器にも配置され得ることを理解されたい。さらに、嗅ぎタバコ容器には、使用済みの嗅ぎタバコを一時的に保管するための処分区画が設けられ得る。このような処分区画は、当技術分野で知られているように、容器蓋または容器ベースに配置され得る。
【００４８】
図１及び図２に示すシーリングラベル１は、図１および図２に示されている構造は、構造層２を含んでなり、長さ方向Ｌに延びる第１および第２のサイドエッジ３、４と、幅方向Ｗに延びる第１および第２のエンドエッジ５、６とを有する。シーリングラベル１は、幅方向Ｗにおいて、容器蓋貼り付け領域１１と、容器ベース貼り付け領域１２と、容器蓋貼り付け領域１１と容器ベース貼り付け領域１２との間に配置された引裂き領域１３と、に分割される。引裂き領域は、シーリングラベル１の第１のエンドエッジ５に配置されたプルタブ７によって終端されている。シーリングラベルは、長さ方向Ｌに長さｌ、幅方向Ｗに幅ｗを有する。シーリングラベル１の長さｌは、幅ｗよりかなり大きく、例えば、長さｌと幅ｗとの割合ｌ／ｗが７〜２５である。本明細書に示すように、シーリングラベルの長さｌは８０ミリメートル〜２５０ミリメートルで、シーリングラベルの幅ｗは、例えば、１５ミリメートル〜１９ミリメートルのような１０ミリメートル〜２５ミリメートルであり得る。
【００４９】
シーリングラベル１の唯一の構造層である構造層２は、シーリングラベル１の長さ方向Ｌと一致する配向方向を有する単一配向性ポリマーフィルムからなる。構造層２には、ミシン目や他の弱化された引裂きラインが形成されていない。
【００５０】
引裂き開始カット１４、１５は、第１のエンドエッジでプルタブ７の各サイドの構造層に配置されている。図示された例では、引裂き開始カット１４、１５は、引裂きストリップ領域１３に向かって傾斜し、シーリングラベル１の第１のエンドエッジ５から突出しているように示されている、プルタブ７の端部からテーパ形状に形成されているプルタブ７をもたらす。例えば、円形、長方形等のようなプルタブ７の他の形状が、シーリングラベル１の長さ方向Ｌと平行に配置された引裂き開始カットや、或いは、シーリングラベル１の長さ方向Ｌに対して図示のものよりもより小さいまたは大きい角度で配列された引裂き開始カットと共に使用され得る。プルタブ７は、シーリングラベル１の第１のエンドエッジ５と隣接していてもよいことも想定される
【００５１】
シーリングラベル１は、フロント面１６および裏面１７を有し、連続的な接着剤コーティング１８が構造層の裏面１７に塗布され、容器蓋貼り付け領域１１、容器ベース貼り付け領域１２および 引裂きストリップ領域１３を被覆する。シーリングラベル１を簡単かつ効率的に製造し得るように、シーリングラベル１の裏面１７の全体を覆う連続的なコーティングが好ましい。しかしながら、構造層２の裏面１７は、代替的に、引裂きストリップ領域１３内に接着剤コーティングがなくてもよく、或いは、接着剤コーティング１８は、本明細書に開示されるように引裂きストリップ領域１３内で非接着性にされてもよい。
【００５２】
接着剤コーティング１８は、容器蓋貼り付け領域１１および容器ベース貼り付け領域１２をそれぞれ容器蓋および容器ベースに取外し不能に貼り付けるように配置される。
【００５３】
シーリングラベル１のフロント面１６は、図４〜６に示す湾曲形状波２０によって示されるように、装飾および／または情報印刷、配色等を保持し得る。
【００５４】
図３〜図６に示す嗅ぎタバコ容器１００は、高さ方向Ｈに高さｈを有し、高さ方向Ｈに垂直な平面の円周方向Ｃに円周ｃを有する。また、シーリングラベル１のない嗅ぎタバコ容器１００が図３に示され、本明細書に記載のシーリングラベル１を有する嗅ぎタバコ容器１００が図４〜図６に示される。
【００５５】
特に、図３及び図６に示すように、嗅ぎタバコ容器１００は、底壁１０３及びベース側壁１０４を有する容器ベース１０２と、トップ壁１０７及び蓋側壁１０８を有する容器蓋１０６と、を含んでなる。嗅ぎタバコ容器１００の内部へのアクセスを得るために嗅ぎタバコ容器１００を繰り返し開けることができ、開封後に再閉鎖し得るように、容器蓋１０６が容器ベース１０２に取り外し可能に装着されている。嗅ぎタバコ容器１００が閉じられると、蓋側壁１０８の外面１０９が、ベース側壁１０４の外面１１０と整列される。分離線１１５が、蓋側壁１０８の下縁１１６とベース側壁１０４の上縁１１７との間に形成される。分離線１１５は、嗅ぎタバコ容器１００の全周に渡って円周方向Ｃに延び、蓋側壁１０８とベース側壁１０４との間に狭い隙間を形成する。ここで規定されるように、嗅ぎタバコ容器１００の高さ方向Ｈにおいて、例えば０.５ミリメートル〜２.５ミリメートル、例えば０.７ミリメートル〜１.５ミリメートルのような、０.１ミリメートル〜３ミリメートルの分離線１１５の幅ｗｓを有し得る。
【００５６】
シーリングラベル１は、シーリングラベル１の長さ方向Ｌが嗅ぎタバコ容器の円周方向Ｃと一致し、嗅ぎタバコ容器の高さ方向Ｈがシールの幅方向Ｗと一致するように嗅ぎタバコ容器１００に貼り付けられる。シーリングラベル１の容器蓋貼り付け領域１１が蓋側壁１０８に重なり合って貼り付けられた状態で、容器ベース貼り付け領域１２がベース側壁１０４に重なりあって貼り付けられた状態で、引裂きストリップ領域１３が蓋側壁１０８の下縁１１６とベース側壁１０４の上縁１１７との間の分離線１１５を覆う状態で、シーリングラベル１が嗅ぎタバコ容器１００に貼り付けられる。分離線１１５が蓋側壁１０８の下縁１１６とベース側壁１０４の上縁１１７との間に隙間を形成するとき、シーリングラベル１は隙間を横切って延在し、引裂きストリップ領域１３内の嗅ぎタバコ容器１００には貼り付けられない。
【００５７】
シーリングラベル１の第１のエンドエッジ５におけるシーリングラベル１の部分１２０がシーリングラベル１の第２のエンドエッジ６におけるシーリングラベル１の部分１２１と重なるようにして、図４〜図６に示す嗅ぎタバコ容器１００のシーリングラベル１が嗅ぎタバコ容器１００に貼り付けられる。重なり(overlap)は、図示されているものよりも大きくても小さくてもよい。シーリングラベル１の端部１２０、１２１の間の重なりは、嗅ぎタバコ容器１００の密封搬送シールを提供する理由から好ましいが、本発明の範囲内で、シーリングラベル１の重なりなしに貼り付けることも考えられる。図４に示すように、シーリングラベル１の端部１２０、１２１間の重なりは、プルタブ７の引裂き開始カット１４、１５を覆うのに十分大きいことが好ましい。
【００５８】
図４〜図６に示す例では、シーリングラベル１は、嗅ぎタバコ容器１００の高さｈの約７５％であって、蓋側壁１０８、ベース側壁１０４および分離線１１５の合計高さの１００％に相当する幅を有する。ここで開示するように、シーリングラベルの幅は、嗅ぎタバコ容器１００の高さの６０〜１００％であってもよい。ここで規定されているように、幅広のシーリングラベルは大きな表示領域を提供するので有益である。また、幅広のシーリングラベルは、特に、蓋側壁１０８及びベース側壁１０４に沿った方向に良好なシールを形成するのに役立つので、シーリングラベル１の裏面１７上の連続的な接着剤コーティング１８と組み合わせたときに、嗅ぎタバコ容器１００のより良好なシーリングを提供することができる。連続的な接着剤コーティング１８は、シーリングラベル１と嗅ぎタバコ容器１００との間に、嗅ぎタバコ容器１００の高さ方向Ｈに水分およびガス障壁を形成し得る。
【００５９】
シーリングラベル１によって形成されたシールを破ることによって、嗅ぎタバコ容器１００が開封される。シーリングラベル１は、プルタブ７をシーリングラベル１の第１のエンドエッジ５から嗅ぎタバコ容器１００の周方向Ｃ、すなわちシーリングラベル１の長さ方向Ｌの方向に引っ張ることによって破られる。プルタブ７をシーリングラベル１の第１のエンドエッジ５から引き離すと、図５に示すように、構造層２の単一配向性ポリマーフィルムが、引裂きストリップ領域１３の縁に沿って制御された方法で裂ける。シーリングラベルの正しい最初の引裂きは、引裂き開始カット１４、１５の形成によって助けられる。嗅ぎタバコ容器１００の円周ｃに沿った引き続きの正確な引裂きは、引裂きストリップ領域１３が分離線１１５で嗅ぎタバコ容器１００に貼り付けられていないことによって促進されると考えられるが、その一方で、隣接する蓋貼り付け領域１１およびベース貼り付け領域１２は、容器ベース１０２および容器蓋１０６の側壁１０４、１０８にしっかりと貼り付けられている。シーリングラベル１の構造層２の単一配向性ポリマーフィルムの配向方向に延び、シーリングラベル１の貼り付け領域の縁と非接着領域の縁とを画定する側壁１０４、１０８の下縁１１６、上縁１１７は、引裂きガイドとして機能し、シーリングラベル１から引裂きストリップ領域１３を正確に引き裂くことを促進していると考えられる。
【００６０】
図５では、シーリングラベル１を有する嗅ぎタバコ容器１００が、引裂きストリップ領域１３が部分的に引き裂かれて引裂きストリップ１２５を形成している様子が示されている。引裂きストリップ１２５は、接着剤コーティング１８が露出した状態でシーリングラベル１８上に折り返されているのが示されている。引裂きストリップ領域１３が除去されたシーリングラベル１の部分において、分離線１１５が、容器蓋１０６と容器ベース１０２との間に見える。
【００６１】
図６は、引裂きストリップ１２５が完全に除去され、容器蓋１０６と容器ベース１０２との間の分離線１１５が完全に露出し、嗅ぎタバコ容器１００を開くことができる状態の嗅ぎタバコ容器１００を示している。図示した実施形態では、分離線１１５は円周方向中心線の幾分上に配置され、それにより容器ベース１０２の高さは容器蓋１０６の高さよりも大きい。分離線１１５の位置は、図示されたものとは異なっていてもよく、分離線１１５が嗅ぎタバコ容器１００を等しい部分に分割してもよく、または容器蓋の高さを容器ベース１０２の高さより大きくてもよい。
【００６２】
明細書で説明しているように、シーリングラベル１は、嗅ぎタバコ容器１００の表示領域として機能し、シーリングラベル１のうち嗅ぎタバコ容器１００上に残っている部分が、破損していないシーリングラベル１の大部分を構成することが好ましい。したがって、引裂きストリップ領域１３は、例えば、引裂きストリップ領域１３、蓋貼り付け領域１１およびベース貼り付け領域１２の合計面積の５％〜１５％、例えば、引裂きストリップ領域１３、蓋貼り付け領域１１およびベース貼り付け領域１２の合計面積の７％〜１０％のような、引裂きストリップ領域１３、蓋貼り付け領域１１およびベース貼り付け領域１２の合計面積の２％〜２０％を構成するのが好ましい。
【００６３】
引裂きストリップ領域１３の幅は、例えば、０.７ミリメートル〜２.５ミリメートルまたは１ミリメートル〜１.５ミリメートルのような０.５ミリメートル〜３ミリメートルであってもよい。引裂きストリップ領域１３の幅は、好ましくは、蓋側壁１０８の下縁１１６とベース側壁１０４の上縁１１７との間の分離線１１５の幅に等しい。
【００６４】
大きな残りの表示領域、すなわち狭い引裂きストリップ１２５は、図４〜６のシーリングラベル１上の湾曲波パターンによって示されるように、引裂きストリップ１２５の除去によってほとんど影響を受けないように見える印刷を嗅ぎタバコ容器１００に提供することを可能にする。
【符号の説明】
【００６５】
１  シーリングラベル
２  構造層
３  第１のサイドエッジ
４  第２のサイドエッジ
５  第１のエンドエッジ
６  第２のエンドエッジ
７  プルタブ
１１  容器蓋貼り付け領域
１２  容器ベース貼り付け領域
１３  引裂き領域
１４、１５  引裂き開始カット
１６  フロント面
１７  裏面
１８  接着剤コーティング
２０  湾曲形状波
１００  嗅ぎタバコ容器
１０２  容器ベース
１０３  底壁
１０４  ベース側壁
１０６  容器蓋
１０７  トップ壁
１０８  蓋側壁
１０９、１１０  外面
１１５  分離線
１１６  下縁
１１７  上縁
１２０、１２１  端部
１２５  引裂きストリップ
【図１】
2019524570.tif 000003
【図２】
2019524570.tif 000004
【図３】
2019524570.tif 000005
【図４】
2019524570.tif 000006
【図５】
2019524570.tif 000007
【図６】
2019524570.tif 000008
【国際調査報告】
2019524570.tif 000009
2019524570.tif 000010
2019524570.tif 000011